(57)【要約】      （修正有）【課題】電子部品への信号線を配置しつつノイズの影響を抑止でき、非接触式ＩＣカードの感度を維持できる携帯電子機器を提供する。【解決手段】携帯電話機は、第１筐体リアケース５と、第１筐体リアケース５内部に配設されるシート状の非接触式ＩＣカードアンテナと、第１筐体リアケース５内部に配設される音声を出力するスピーカと、第１筐体リアケース５内部に配設される非接触式ＩＣカードアンテナ及びスピーカからの信号を処理する制御部と、スピーカと制御部とを接続するスピーカ信号線９と、を有し、スピーカ信号線９は非接触式ＩＣカードアンテナのシート面上を跨いで配置される。【選択図】図５
2010171740.tif 000002
【特許請求の範囲】
【請求項１】
筐体と、
前記筐体内部に配設されるシート状の非接触ＩＣカード用のアンテナ部と、
前記筐体内部に配設される音声を入力又は出力する音声入出力部と、
前記筐体内部に配設される前記非接触式ＩＣカード用のアンテナ部及び音声入出力部からの信号を処理する信号処理部と、
前記音声入出力部と前記信号処理部とを接続する信号線と、を有し、
前記信号線は前記非接触式ＩＣカード用のアンテナ部のシート面上を跨いで配置されている
携帯電子機器。
【請求項２】
前記信号線と前記非接触式ＩＣカード用のアンテナ部との間には磁性シートが配置されている
請求項１に記載の携帯電子機器。
【請求項３】
前記信号線はフレキシブルプリント基板によって形成されている
請求項１又は２に記載の携帯電子機器。
【請求項４】
前記筐体には、表示部が配設されている
請求項１〜３いずれか１項に記載の携帯電子機器。
【請求項５】
前記非接触式ＩＣカード用アンテナ部は、前記筐体に接着され、
前記信号線は、前記非接触式ＩＣカード用のアンテナ部の筐体側とは反対の面側に配設される
請求項１〜４いずれか１項に記載の携帯電子機器。
【請求項６】
前記筐体内部に配設される金属部分と樹脂部分とが一体的に成型された内部筐体部を有し、
前記筐体、前記非接触式ＩＣカード用のアンテナ部、前記信号線、前記内部筐体の順に配置されており、
前記金属部分の前記非接触式ＩＣカード用のアンテナ部側には、金属部分の少なくとも一部を覆うように樹脂部分が配設される
請求項１〜５いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、液晶パネル（ＬＣＤ）が配置される筐体にも非接触式ＩＣカードのアンテナを配置した携帯電話機が記載されている。
【先行技術文献】
【特許文献】
【０００３】
【特許文献１】特開２００６―１６５８０５号公報
【発明の概要】
【発明が解決しようとする課題】
【０００４】
しかしながら、前記特許文献１には非接触式ＩＣカードの非接触式ＩＣカードアンテナ及びスピーカへのスピーカ信号線の具体的な配置については記載がない。
具体的な配置として、図１のような配置も考えられる。
しかし、図１のように、制御部１３７からスピーカ１１１へのスピーカ信号線１０９を非接触式ＩＣカードアンテナ１０８の側面を通らせる構成を採用すると、非接触式ＩＣカードアンテナ１０８はできるだけその大きさを多くとることによって感度を上げる必要があるにもかかわらず、アンテナを大きくすることができなくなってしまい好ましくない。
また、図６において、非接触式ＩＣカードアンテナ１０８は図１のようにコイル状に巻かれており、線の一部はスピーカ１１１へのスピーカ信号線１０９と極めて近接し、かつ、平行して配設されることになる。このような配置がなされると、スピーカ１１１へのスピーカ信号線１０９を流れる電気信号によって電場及び磁場が形成され、この電場及び磁場によって、非接触式ＩＣカードアンテナ１０８にノイズが生じてしまう。ノイズが生じてしまうと非接触式ＩＣカード本来の目的を達成することができなくなってしまい好ましくない。
【０００５】
本発明の目的は、電子部品への信号線を配置しつつノイズの影響を抑止でき、非接触式ＩＣカードの感度を維持できる携帯電子機器を提供することである。
【課題を解決するための手段】
【０００６】
本発明の携帯電子機器は、筐体と、前記筐体内部に配設されるシート状の非接触ＩＣカード用のアンテナ部と、前記筐体内部に配設される音声を入力又は出力する音声入出力部と、前記筐体内部に配設される前記非接触式ＩＣカード用のアンテナ部及び音声入出力部からの信号を処理する信号処理部と、音声入出力部と前記信号処理部とを接続する信号線と、を有し、前記信号線は前記非接触式ＩＣカード用のアンテナ部のシート面上を跨いで配置されている。
【０００７】
好適には、前記信号線と前記非接触式ＩＣカード用のアンテナ部との間には磁性シートが配置されている。
【０００８】
好適には、前記信号線はフレキシブルプリント基板によって形成されている。
【０００９】
好適には、前記筐体には、表示部が配設されている。
【００１０】
好適には、前期非接触式ＩＣカード用のアンテナ部は、前記筐体に接着され、前記信号線は、前記非接触式ＩＣカード用のアンテナの筐体側とは反対の面側に配設される。
【００１１】
好適には、前記筐体内部に配設される金属部分と樹脂部分とが一体的に成型された内部基筐体を有し、前記筐体、前記非接触式ＩＣカード用のアンテナ部、前記信号線、前記内部筐体の順に配置されており、前記金属部分の前記非接触式ＩＣカード用のアンテナ部側には、金属部分の少なくとも一部を覆うように樹脂部分が配設される。
【発明の効果】
【００１２】
本発明によると、電子部品への信号線を配置しつつノイズの影響を抑止でき、非接触式ＩＣカードの感度を維持できる携帯電子機器を提供することができる。
【図面の簡単な説明】
【００１３】
【図１】従来例における非接触式ＩＣカードアンテナとスピーカ信号線との配置を表す図である。
【図２】開状態における携帯電話機の外観図である。
【図３】図２の携帯電話機の信号処理系を示すブロック図である。
【図４】閉状態における携帯電話機１の外観図である。
【図５】図４の携帯電話機１の第１筐体リアケースを取り外した斜視図である。
【図６】図５（ａ）の第１筐体リアケースの展開図である。
【図７】第１筐体リアケースの内部側位置からの斜視図である。
【図８】図７のＶＩＩＩ−ＶＩＩＩにおける断面図である。
【図９】内部筐体の樹脂部分について説明するための説明図である。
【図１０】図９のＸ−Ｘにおける断面図である。
【発明を実施するための形態】
【００１４】
図２は、本発明の実施形態に係る携帯電話機１の外観を開状態で示す斜視図である。
【００１５】
携帯電話機１は、いわゆる折り畳み式の携帯電話機１として構成されており、開状態と閉状態との間で互いに回動可能に連結された第１筐体２及び第２筐体３を有している。図２は、第１筐体２及び第２筐体３の開状態を示している。第１筐体２は、第２筐体３と対向する部分を構成する第１筐体フロントケース４と、第２筐体３とは反対側部分を構成する第１筐体リアケース５とを有している。第２筐体３は、第１筐体２と対向する部分を構成する第２筐体フロントケース６と、第１筐体２とは反対側部分を構成する第２筐体リアケース７とを有している。
また、第１筐体フロントケース４には液晶パネル２８が配置され、その図面上部位置には内部にスピーカ１１が配設されているスピーカ用穴３０が配置されている。
【００１６】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
この収容空間内には後述する内部筐体２５も配設されている。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１７】
なお、方向を示すときは、第１筐体リアケース５から第１筐体フロントケース４に向かう方向を内部側方向ＩＰＲＣといい、第１筐体フロントケース４から第１筐体リアケース５に向かう方向を外部側方向ＯＰＲＣという。
同様に第２筐体リアケース７から第２筐体フロントケース６に向かう方向を内部側方向ＩＰＲＣといい、第２筐体フロントケース６から第２筐体リアケース７に向かう方向を外部側方向ＯＰＲＣという。
【００１８】
図３は図２の携帯電話機１の信号処理系を示すブロック図である。
【００１９】
図３に示されるように、携帯電話機１は、制御・処理の中枢である制御部３７と、非接触式ＩＣカード部４２と、音声入出力部３９と、表示部４０と、記憶部３８、図示しない通信部等が、アドレス、データ、コントロールのためのラインが複数本からなるシステムバス４１に接続されている。
【００２０】
非接触式ＩＣカード部４２は、非接触式ＩＣカードに関する処理を行う部分である。
非接触式ＩＣカード部４２は非接触式ＩＣカードアンテナ８と接続されており、この非接触式ＩＣカードアンテナ８は外部からの電波信号を受けるためのものである。電波信号を受けた時には、非接触式ＩＣカードアンテナ８はこの電波信号を電気信号に変換して非接触式ＩＣカード部４２に入力する。
そして、この電波信号を契機として非接触式ＩＣカード部４２は必要な内部処理を行い、その結果を電気信号として非接触式ＩＣカードアンテナ８に出力する。
この電気信号は非接触式ＩＣカードアンテナ８によって電波信号に変換される。
非接触式ＩＣカードによって達成される目的・用途は複数ありうるが、例えば、駅における自動改札、店における料金の支払い、会社内等への入室カード等がある。それに応じて、非接触式ＩＣカード部４２の内部処理も複数の処理がなされる。
【００２１】
音声入出力部３９は、スピーカ１１から出力される音声信号やマイクロフォン３６において入力される音声信号の入出力処理を行う。
すなわち、音声入出力部３９は、マイクロフォン３６から入力された音声を増幅し、アナログ／デジタル変換を行い、更に符号化等の信号処理を施し、デジタルの音声データに変換して制御部３７に出力する。
また、音声入出力部３９は、制御部３７から供給される音声データに復号化、デジタル／アナログ変換、増幅等の信号処理を施し、アナログの音声信号に変換してスピーカ１１に出力する。
【００２２】
表示部４０は、例えばＬＣＤやＯＬＥＤ（Organic light-emitting diode（有機ＥＬ））を用いて構成されており、制御部３７から供給される映像信号に応じた画像を表示する。
【００２３】
記憶部３８では、携帯電話機１の各種処理に利用される各種データを記憶する。記憶部３８は、例えば制御部３７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
前記記憶部３８は、非接触式ＩＣカード部４２との関係においては、非接触式ＩＣカード部４２がデータを処理するのに必要な情報を記憶する役割を果たす。例えば、前記記憶部３８は、暗号化された情報を読み解くための鍵として用いるデータ等を記憶する。
【００２４】
なお、記憶部３８は、例えば、不揮発性の記憶デバイス（不揮発性半導体メモリ、ハードディスク装置など）やランダムアクセス可能な記憶デバイス（例えばＳＲＡＭ、ＤＲＡＭ）などによって構成される。
【００２５】
制御部３７は、携帯電話機１の全体的な動作を統括的に制御する。
すなわち、制御部３７は、携帯電話機１の各種処理（回線交換網を介して行われる音声通話、電子メールの作成と送受信、インターネットのＷｅｂ上のサイトの閲覧など）が操作部の操作に応じて適切な手順で実行されるように、上述した各ブロックの動作（通信部における信号の送受信、表示部４０における画像の表示、撮像部における撮像処理等）を制御する。
さらに、制御部３７は、記憶部３８に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部３７は、記憶部３８に格納されるオペレーティングシステムやアプリケーションプログラム等のプログラムから命令コードを順次受け取って処理を実行する。
【００２６】
図４は、閉状態における携帯電話機１の外観図である。
【００２７】
図５は、図４の携帯電話機１の第１筐体リアケース５を展開した斜視図である。
つまり、図４の携帯電話機１の第１筐体リアケース５と第１筐体フロントケース４及び内部筐体２５との結合を解除して、第１筐体リアケース５を反転させて展開した図である。
図５（ａ）は第１筐体リアケース５を内部側の位置から外部側方向を向いて観察した斜視図である。
また、図５（ｂ）は第１筐体リアケース５を除去した後の携帯電話機１を外部側の位置から内部側方向を向いて観察した斜視図である。これによって、第１筐体リアケース５を除去した状態での第１筐体２の内部構造が観察できる。
【００２８】
図５（ａ）の第１筐体リアケース５内部にはスピーカフレキシブルプリント基板１９が配設されている。そして、その内部側方向に磁性シート１４が配設される。磁性シート１４のさらに内部側方向の内部には図示していないが後述する非接触式ＩＣカードアンテナ８等が配設されている。
また、スピーカフレキシブルプリント基板１９は、スピーカ信号線９と、スピーカ信号線９の一端に配置される回路基板側信号線端子１８と、スピーカ信号線９の他端に配置されるスピーカ側信号線端子１６と、を有する。
この回路基板側信号線端子１８は、第１筐体２内の内部筐体２５に固定される回路基板３２と電子信号をやり取りするための接触端子である。そして、第１筐体リアケース５が組みつけられると、回路基板側信号線端子１８は回路基板３２上の回路基板端子３３と接触して信号のやり取りが可能となる。
また、スピーカ側信号線端子１６は第１筐体リアケース５内の内部筐体２５に固定されているスピーカ端子１７と電子信号をやり取りするための接触端子である。そして、第１筐体リアケース５が組みつけられると、スピーカ側信号線端子１６はスピーカ端子１７と接触して信号のやり取りが可能となる。
【００２９】
スピーカ信号線９は図５（ａ）のように、磁性シート１４の内部側方向の上部を跨ぐようにして配置されている。
また、スピーカフレキシブルプリント基板１９はフレキシブルプリント基板によって構成されている。フレキシブルプリント基板とは厚み１２マイクロメータから５０マイクロメータのフィルム状の絶縁体（ベースフィルム）の上に接着層を形成し、さらにその上に厚み１２マイクロメータから５０マイクロメータ程度の導体箔を形成して作成される。このように構成することによって、弾性を有させることができる上に、配線を極めて薄く構成することができるという利点を有する。
【００３０】
図５（ｂ）の斜視図について説明する。
第１筐体フロントケース４内部には内部筐体２５が配設されている。この内部筐体２５はインサート板金１２と樹脂部分１３とによって一体的に構成されている。具体的には、内部筐体２５を成型する段階で、金型内にインサート板金１２部材を配置し、その後に、樹脂を注入して金型と樹脂とを一体的に成型することによって製造される。
回路基板３２はこの内部筐体２５に配置され固定されている。この回路基板３２上には携帯電話機１を制御するための各種電子素子が配置されている。
内部筐体２５の内部側方向には図示していないが液晶パネル２８が配置されている。
【００３１】
また、内部筐体２５にはスピーカ端子１７が配置されている。そして、スピーカ端子１７の内部側方向には、図示していないがスピーカ１１が配置されている。
【００３２】
液晶パネル２８及びスピーカ１１は回路基板３２と電気的に接続されており、回路基板３２によって制御される。
スピーカ１１はスピーカ端子１７、スピーカ側信号線端子１６、スピーカ信号線９、回路基板側信号線端子１８及び回路基板端子３３を介して回路基板３２と電気的に接続されている。
スピーカ１１への配線がこのように第１筐体リアケース５を通って配置されている理由は、第１筐体フロントケース４には液晶パネル２８が配置されておりこの液晶パネル２８が多くの面積を占めてしまいスピーカ１１への配線を第１筐体フロントケース４側で行うことができないからである。
【００３３】
図６は、図５（ａ）の第１筐体リアケース５の展開図である。
【００３４】
図６のように、外部側方向へ、スピーカフレキシブルプリント基板１９、磁性シート１４、磁性シート貼り付け用両面テープ２１、非接触式ＩＣカードアンテナ８、非接触式ＩＣカードアンテナ貼り付け用両面テープ２２の順に積層されている。
通常の意味では、積層とはほぼ同一の大きさ形状のシート状の部材を積み重ねることを言うが、ここでは、スピーカフレキシブルプリント基板１９と磁性シート１４とのように形状は同一とはいえない部材を積み重ねるという広い意味で用いている。つまり、単に、一部にでもシート状部分を有する部材を複数一定方向に積み重ねることを積層と表現する。
【００３５】
スピーカフレキシブルプリント基板１９のスピーカ信号線９の中央付近には電子素子配置部３５が設けられている。そしてこの電子素子配置部３５にはコンデンサ、抵抗等の電子素子が配置される。もっとも、これらの電子素子はスピーカフレキシブルプリント基板１９の磁性シート１４側に配置されているので図６の方向からは目視することはできない。
【００３６】
前述のスピーカフレキシブルプリント基板１９の外部側方向には磁性シート１４が配置される。この磁性シート１４の図６の紙面右下部分には、磁性シート穴部３４を有する。この磁性シート穴部３４は、前述のスピーカ信号線９の中央付近に配置された電子素子を収容するためのものである。この磁性シート穴部３４と同一ヵ所に同一の大きさの穴が後述する磁性シート貼り付け用両面テープ２１にも空けられている。
【００３７】
磁性シート１４の役割について説明する。
非接触式ＩＣカードは、非接触式ＩＣカードアンテナ８の内部を外部機器（リーダ・ライタ）からの磁束が貫通することによって、無線通信を行っている。
しかし、非接触式ＩＣカードアンテナ８の近傍に金属部材があると、外部機器（リーダ・ライタ）からの磁界により、非接触式ＩＣカードアンテナ８の近傍に存在する金属部材に渦電流が発生してしまう。そしてこの渦電流により生じる磁界（反磁界）が、無線通信に必要な磁界をキャンセルしてしまい、無線通信できなくなる。
そこで、磁性シート１４を非接触式ＩＣカードアンテナ８の外部機器とは反対側に配置することによってこの問題を解決している。
では、なぜ磁性シート１４があると金属部材による渦電流の発生を防止できるのか説明する。
磁性シート１４は透磁率の実部（μ’）が高く、かつ、透磁率の虚部（μ”）が低い物質によって構成される。
このように、透磁率の実部（μ’）が高いことで、磁束を磁性シート１４に集中させることができる。磁束が磁性シート１４に集中するということは、換言すれば、金属部材に磁束が到達しないということとなる。したがって、渦電流が発生しないこととなり、反磁場も発生しない。これによって、金属部材が非接触式ＩＣカードアンテナ８の近傍に有っても無線通信が可能となる。
また、透磁率の虚部（μ”）が低ければ、磁束がシート内で磁気損失することなく流れることになる。そして、磁気損失が低いということは通信環境の改善につながる。
【００３８】
磁性シート１４の外部側方向には磁性シート貼り付け用両面テープ２１が配置されている。この磁性シート貼り付け用両面テープ２１の形状は磁性シート１４と同一の形状を有している。
また、磁性シート貼り付け用両面テープ２１は、磁性シート１４と非接触式ＩＣカードアンテナ８とを張合わせる機能を果たしている。
非接触式ＩＣカードアンテナ８は図６のように大きく中央部が空いているのに対して、磁性シート張り付け用両面テープ２１は一部に磁性シート穴部３４と同様の穴は空いているものの、中央部は空いていない。
このような形状によって、磁性シート張り付け用両面テープ２１の中央部分は第１筐体リアケース５と直接に接触してこれと粘着することが可能となっている。
そして、磁性シート張り付け用両面テープ２１の中央部分が第１筐体リアケース５と直接に接触してこれと粘着しているので、磁性シート張り付け用両面テープ２１の中央部分は磁性シート１４及び非接触式ＩＣカードアンテナ８とを第１筐体リアケース５に粘着させるという機能をも果たしている。
【００３９】
磁性シート張り付け用両面テープ２１の外部側方向には非接触式ＩＣカードアンテナ８が配置されている。
非接触式ＩＣカードアンテナ８は図６のように内部が空いた四角いドーナツのような形をしたシート状の形状をしている。
そして、この空いた空間内を通過する磁束を検知して無線通信を可能とするものである。
また、非接触式ＩＣカードアンテナ８はフレキシブルプリント基板によって構成されている。非接触式ＩＣカードアンテナ８をフレキシブルプリント基板によって構成することによって薄くアンテナを構成することが可能となる。
【００４０】
非接触式ＩＣカードアンテナ８の外部側方向には、非接触式ＩＣカードアンテナ張り付け用両面テープ２２が配置される。
これによって、非接触式ＩＣカードアンテナ８は第１筐体リアケース５と粘着される。このことは、前述してきたように、磁性シート１４は磁性シート貼り付け用両面テープ２１と粘着され、磁性シート貼り付け用両面テープ２１は非接触式ＩＣカードアンテナ８と粘着され、非接触式ＩＣカードアンテナ８は非接触式ＩＣカードアンテナ張り付け用両面テープ２２と粘着されるのであるから、ＩＣカードアンテナ張り付け用両面テープ２２は磁性シート及び非接触式ＩＣカードアンテナ８の両方を第１筐体リアケース５と粘着していることをも意味する。
【００４１】
第１筐体リアケースは、非接触式ＩＣカードアンテナ８及び磁性シート１４を収容する非接触式ＩＣカードアンテナ取付け部２３を有する。
そして、この部分に非接触式ＩＣカードアンテナ張り付け用両面テープ２２が張り付けられる。
【００４２】
また、非接触式ＩＣカードアンテナ取付け部２３の外側にはスピーカ側信号線端子１６及び回路基板側信号線端子１８と第１筐体リアケース５と結合するための、スピーカＦＰＣ用両面テープ２４が張られる。これによって、スピーカ側信号線端子１６及び回路基板側信号線端子１８が第１筐体リアケース７に固定され、スピーカフレキシブルプリント基板１９全体が第１筐体リアケース５に固定される。
【００４３】
図７は第１筐体リアケース５の内部側位置からの斜視図である。前述した図６においてスピーカフレキシブルプリント基板１９を除去した場合の斜視図となっている。
図７中のＡ部分及びＢ部分は、スピーカフレキシブルプリント基板１９のスピーカ信号線９が磁性シート１４に跨る場合に磁性シート１４の角と接触する部分である。
磁性シート１４はシート状であることからその角部分は鋭くとがっている。この部分に薄いフレキシブルプリント基板で構成されるスピーカ信号線９が直接接触すると、スピーカ信号線９が傷つくおそれがある。
スピーカ信号線９が傷ついてしまうと雑音の原因となる。さらに、最悪の場合には、磁性シート１４の角でスピーカ信号線９が切断されてしまう恐れがある。そこで、以下に説明するようなスピーカ側傾斜部２６と回路基板側傾斜部２７を用いる。
【００４４】
図８は図７のＶＩＩＩ−ＶＩＩＩにおける断面図である。Ａ部分はスピーカフレキシブルプリント基板１９が回路基板端子３３と接合する部分であり、その下に拡大図を表示する。また、Ｂ部分はスピーカフレキシブルプリント基板１９がスピーカ端子１７と接合する部分であり、その下に拡大図を表示する。
図８のＡ部分の拡大図及びＢ部分の拡大図を参照して分かるように、磁性シート１４及び非接触式ＩＣカードアンテナ８が配置されると、磁性シート１４はスピーカ側信号線端子１６及び回路基板側信号線端子１８部分よりも内部側方向に張り出すことになる。
この部分を迂回するために、第１筐体リアケース５には、スピーカ側信号線端子１６側にはスピーカ側傾斜部２６が配置され、回路基板側信号線端子１８側には回路基板側傾斜部２７が配置される。
このスピーカ側傾斜部２６及び回路基板側傾斜部２７は、非接触式ＩＣカードアンテナ取付け部２３側に行くに従い肉厚となるように構成されている。つまり、スピーカ側傾斜部２６及び回路基板側傾斜部２７の傾斜の方向は、内部側方向に傾斜している。
スピーカ側傾斜部２６及び回路基板側傾斜部２７がこのような構成を有することによって、磁性シート１４の角とスピーカフレキシブルプリント基板１９が接触することなく、スピーカフレキシブルプリント基板１９が傷つきあるいは断線することを防止することができる。
【００４５】
スピーカ側傾斜部２６及び回路基板側傾斜部２７は内部側方向に傾斜しているため、スピーカフレキシブルプリント基板１９は外部側に中心を有する円の一部である弦の形状を有することとなる。
このように弦の形状となるのであるから、直線によって構成される場合よりも内部側方向と外部側方向との振動に対して強い構成となる。
これによって、スピーカフレキシブルプリント基板１９が振動することを防ぐことができ、スピーカＦＰＣが振動して他の部分とぶつかって電子部品が壊れる又は異音の原因となるなどの不具合を防ぐ効果がある。
【００４６】
図９は、内部筐体２５の樹脂部分１３について説明するための説明図である。
内部筐体２５はインサート板金１２及び樹脂部分１３を有するが、磁性シート１４と対応する部分では、樹脂部分１３はインサート板金１２よりも外部側方向に張り出している。
【００４７】
図１０は図４、図５及び図９におけるＸ−Ｘにおける断面図である。もっとも、図５及び図９は第１筐体リアケース５を展開してあるが展開する前の状態における断面図である。
【００４８】
図１０の樹脂部分１３を参照すると、樹脂部分１３は磁性シート１４のすぐ裏まで張り出していることが分かる。
このように樹脂部分１３を構成する理由を説明する。
非接触式ＩＣカードアンテナ８は磁束によって無線通信を行うため、非接触式ＩＣカードアンテナ８の位置が変化することは極力避けなければならない。
そのため、非接触式ＩＣカードアンテナ８の位置を固定するため磁性シート貼り付け用両面テープ２１及び非接触式ＩＣカードアンテナ貼り付け用両面テープ２２によって第１筐体リアケース５と粘着することによって位置がずれることを防いでいる。
しかし、磁性シート貼り付け用両面テープ２１及び非接触式ＩＣカードアンテナ貼り付け用両面テープ２２の粘着材料は時間が経過するにつれて粘着力が弱まるおそれがある。
以上のような原因で、非接触式ＩＣカードアンテナ８の位置がずれてしまうと、無線通信のエラーが生じやすくなるおそれがある。
そこで、本発明ではさらに内部筐体２５の樹脂部分１３を用いて磁性シート１４及び非接触式ＩＣカードアンテナ８を抑えて位置を保持している。
これによって、磁性シート貼り付け用両面テープ２１及び非接触式ＩＣカードアンテナ貼り付け用両面テープ２２の両者の粘着力がなくなってしまっても、非接触式ＩＣカードアンテナ８の位置を保持することができる。
【００４９】
以上の実施形態によれば、本発明の携帯電話機１は、第１筐体リアケース５と、第１筐体リアケース５内部に配設されるシート状の非接触式ＩＣカードアンテナ８と、第１筐体リアケース５内部に配設される音声を出力するスピーカ１１とを有している。
そして、第１筐体リアケース５内部に配設される非接触式ＩＣカードアンテナ８及びスピーカ１１からの信号を処理する制御部３７と、スピーカ１１と制御部３７とを接続するスピーカ信号線９と、を有し、スピーカ信号線９は非接触式ＩＣカードアンテナ８のシート面上を跨いで配置される。
これによって、スピーカ信号線９が非接触式ＩＣカードアンテナ８の近傍を通らない構成とすることができるので、スピーカ信号線９を流れる信号が非接触式ＩＣカードアンテナ８に悪影響を与えることを低減することができる。
さらに、スピーカ信号線９は非接触式ＩＣカードアンテナ８の側部を通らないので、非接触式ＩＣカードアンテナ８の面積を最大限取ることができ、これによって、非接触式ＩＣカードアンテナ８の感度を上げることができる。
【００５０】
スピーカ信号線９と非接触式ＩＣカードアンテナ８との間には磁性シート１４が配置されている。
これによって、非接触式ＩＣカードアンテナ８がインサート板金等の金属部材と隣接して配置されていても、非接触式ＩＣカードアンテナ８の感度を維持することができる。
【００５１】
スピーカ信号線９はフレキシブルプリント基板によって形成されている。
これによって、スピーカ信号線９を薄く構成することができるため、スピーカ信号線９が非接触式ＩＣカードアンテナ８及び磁性シート１４の上部を跨ぐ構成としても携帯電話機１は厚くならない。
さらに、スピーカ信号線９が薄いのであるから、わずかな隙間があればスピーカ信号線９を配置することが可能となり、スピーカ信号線９を配置する自由度が向上する。
【００５２】
第１筐体リアケース５には、液晶パネル２８が配設されている。
スピーカ信号線９が非接触式ＩＣカードアンテナ８を跨ぐ様にしたことによって、液晶パネル２８の側部をスピーカ信号線９が通らないこととなる。これによって、液晶パネル２８を大きく構成することができる。
【００５３】
非接触式ＩＣカードアンテナ８は、第１筐体リアケース５に接着され、スピーカ信号線９は、非接触式ＩＣカードアンテナ８の第１筐体リアケース５側とは反対の面側に配設される。
これによって、非接触式ＩＣカードアンテナ８の近傍にインサート板金１２が有っても、非接触式ＩＣカードの感度を維持することができる。
【００５４】
第１筐体リアケース５内部に配設されるインサート板金１２と樹脂部分１３とが一体的に成型された内部筐体２５を有し、第１筐体リアケース５、非接触式ＩＣカードアンテナ８、スピーカ信号線９、内部筐体２５の順に配置されており、インサート板金１２の非接触式ＩＣカードアンテナ８には、インサート板金１２の少なくとも一部を覆うように樹脂部分１３が配設される。
これによって、非接触式ＩＣカードアンテナ８の位置を固定することができ、非接触式ＩＣカードアンテナ８の感度を維持することもできる。
【００５５】
以上の実施形態において、携帯電話機１は本発明の携帯電子機器の一例であり、スピーカ１１は音声入出力手段の一例である。
【００５６】
本発明は、以上の実施形態に限定されず、種々の態様で実施されてよい。
【００５７】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【００５８】
以上の実施形態では音声入出力部３９はスピーカ１１であったが、音声入出力部３９とはマイクロフォン３６であってもよい。
なぜなら、音声信号の信号線が非接触式ＩＣカードアンテナ８に影響を与える可能性があるという点では何ら変わりがないからである。
【符号の説明】
【００５９】
１…携帯電話機、２…第１筐体、３…第２筐体、４…第１筐体フロントケース、５…第１筐体リアケース、６…第２筐体フロントケース、７…第２筐体リアケース、８…非接触式ＩＣカードアンテナ（非接触式ＩＣカードのアンテナ部）、９…スピーカ信号線、１０…信号処理部、１１…スピーカ、１２…インサート板金、１３…樹脂部分、１４…磁性シート、１６…スピーカ側信号線端子、１７…スピーカ端子、１８…回路基板側信号線端子、１９…スピーカフレキシブルプリント基板、２１…磁性シート貼り付け用両面テープ、２２…非接触式ＩＣカードアンテナ貼り付け用両面テープ、２３…非接触式ＩＣカードアンテナ取付け部、２４…スピーカＦＰＣ用両面テープ、２５…内部筐体、２６…スピーカ側傾斜部、２７…回路基板側傾斜部、２８…液晶パネル（表示部）、３０…スピーカ用穴、３２…回路基板、３３…回路基板端子、３４…磁性シート穴部、３５…電子素子配置部、３６…マイクロフォン、３７…制御部、３８…記憶部、３９…音声入出力部、４０…表示部、４１…システムバス、４２…非接触式ＩＣカード部
【図１】
2010171740.tif 000003
【図２】
2010171740.tif 000004
【図３】
2010171740.tif 000005
【図４】
2010171740.tif 000006
【図５】
2010171740.tif 000007
【図６】
2010171740.tif 000008
【図７】
2010171740.tif 000009
【図８】
2010171740.tif 000010
【図９】
2010171740.tif 000011
【図１０】
2010171740.tif 000012